(57)【要約】【課題】メインロープに付着した雨水が機械室内に浸入する前に、簡便かつ安価な構造で雨水を除去し、機械室内への雨水の浸入を的確に抑えることができるロープ付着雨水除去装置を提供する。【解決手段】巻上機を備えた機械室２と、前記巻上機に巻き掛けられ、前記機械室２からその下方に導出された屋外エレベータのメインロープ１と、前記機械室２の下方部においてメインロープ１の両側に配置され、それぞれ周面に断面ほぼＵ字形の凹部からなる踏面１２ａを有し、その踏面１２ａが前記メインロープ１に接触するように押し当てられ、前記メインロープ１の走行に応じて回転する一対の除水ローラ１２とを具備する。メインロープ１に付着した雨水は、除水ローラ１２に接触し、その除水ローラ１２の回転遠心力で外周側に飛散され、メインロープ１から除去される。【選択図】    図１
2004161404.tif 000002
【特許請求の範囲】
【請求項１】
巻上機を備えた機械室と、
前記巻上機に巻き掛けられ、前記機械室からその下方に導出された屋外エレベータのメインロープと、
前記機械室の下方部に配置され、周面に断面ほぼＵ字形の凹部からなる踏面を有し、この踏面が前記メインロープに接触するように押し当てられ、前記メインロープの走行に応じて回転する除水ローラと、
を具備することを特徴とするロープ付着雨水除去装置。
【請求項２】
巻上機を備えた機械室と、
前記巻上機に巻き掛けられ、前記機械室からその下方に導出された屋外エレベータのメインロープと、
前記機械室の下方部においてメインロープの両側に配置され、それぞれ周面に断面ほぼＵ字形の凹部からなる踏面を有し、その踏面が前記メインロープに接触するように押し当てられ、前記メインロープの走行に応じて回転する一対の除水ローラと、
を具備することを特徴とするロープ付着雨水除去装置。
【請求項３】
前記除水ローラは防水ケースで覆われ、その防水ケースには油水分離手段が設けられていることを特徴とする請求項１または２に記載のロープ付着雨水除去装置。
【請求項４】
前記除水ローラは、少なくとも前記踏面が吸水性を有する材料で構成されていることを特徴とする請求項１ないし３のいずれかに記載のロープ付着雨水除去装置。
【請求項５】
前記除水ローラの踏面には、回転自在な補助ローラが圧接していることを特徴とする請求項４に記載のロープ付着雨水除去装置。
【請求項６】
前記除水ローラは、前記メインロープの揺動に追従する追従機構を介して支持されていることを特徴とする請求項１ないし５のいずれかに記載のロープ付着雨水除去装置。
【請求項７】
複数本のメインロープを備え、除水ローラの周面にはそのメインロープの本数に対応する数の踏面が形成されていることを特徴とする請求項１ないし６のいずれかに記載のロープ付着雨水除去装置。
【請求項８】
前記メインロープの両側に設けられた一対の除水ローラが、前記メインロープの長手方向に対して上下に位置をずらす段違い状に配置されていることを特徴とする請求項２に記載のロープ付着雨水除去装置。
【請求項９】
前記除水ローラは、前記メインロープに対して接離する方向に移動可能な移動機構により支持され、前記メインロープが機械室に向かって上昇するときにのみ、前記移動機構により前記除水ローラが前記メインロープに押し当てられることを特徴とする請求項１ないし６のいずれかに記載のロープ付着雨水除去装置。
【請求項１０】
前記除水ローラは、前記メインロープに対して接離する方向に移動可能な移動機構により支持され、この移動機構には降雨センサによる情報が入力され、前記夜の前記メインロープが機械室に向かって上昇し、かつ前記移動機構に前記降雨センサによる降雨の情報が入力されているときにのみ、前記除水ローラが前記メインロープに押し当てられることを特徴とする請求項１ないし６のいずれかに記載のロープ付着雨水除去装置。
【発明の詳細な説明】
【０００１】
【発明の属する技術分野】
この発明は、乗りかごおよび釣合い重りが屋外に露出し、その吊下げ用のメインロープが雨水にさらされる屋外エレベータにおいて、そのメインロープに付着する雨水を除去して機械室内への侵入を防止するロープ付着雨水除去装置に関する。
【０００２】
【従来の技術】
ロープ式のエレベータは、乗りかごおよび釣合い重りを吊り下げたメインロープが機械室内の巻上機に巻き掛けられ、その巻上機によりメイロープが駆動されて乗りかごおよび釣合い重りが互いに反対方向に昇降する。そして近年においては、展望用等として乗りかごが屋外に露出するタイプの屋外エレベータが提供されるようになってきている。
【０００３】
このような屋外エレベータにあっては、降雨時にその雨水がメインロープに付着する。従来、メインロープに対する雨水付着防止対策は特に行なわれていない。メインロープの内部より滲出するロープグリースは、ロープの摩耗低減を目的とし、特に撥水性能についての配慮はなされていない。
【０００４】
したがって、メインロープに雨水が付着するときには、その付着した水量をほぼ維持したまま、メインロープと共に雨水が機械室内に浸入して機械室内を湿潤環境にし、電気機器類の短絡、発錆等の原因を招く恐れが生じる。
【０００５】
このため、従来では、メインロープが直接接触する巻上機に防水カバーを設け、機械室内への雨水飛散を防止し、また巻上機自体に防水、防錆構造を施してそれに対応している。
【０００６】
【発明が解決しようとする課題】
しかしながら、巻上機に防水手段を設けるだけでは、巻上機内で飛散して霧状に微細化した雨水のミストが機械室内に拡散してしまい、それを排除するようなことは困難である。
【０００７】
エレベータの昇降速度が低速であれば、ミストの拡散量も少なく、特に大きな問題とならないが、近年ではエレベータの高速化が進んでおり、これに伴い雨水の飛散速度も高速となり、機械室内に拡散するミストの量も増大する。
【０００８】
この場合、機械室内に除湿機を設置してそれに対応することが考えられるが、除湿機では機械室内の機器の表面に凝集して水滴化した水分の除去は困難となる。
【０００９】
一方、巻上機の防水カバーからのミストの漏出を確実に抑えよとすると、その構造が複雑化し、コストが大幅に高騰してしまう。
【００１０】
したがって、メインロープに付着した雨水が機械室内に浸入する前に、その雨水を除去することが最も有効となる。
【００１１】
この発明は、このような点に着目してなされたもので、その目的とするところは、メインロープに付着した雨水が機械室内に浸入する前に、簡便かつ安価な構造で雨水を除去し、機械室内への雨水の浸入を的確に抑えることができるロープ付着雨水除去装置を提供することにある。
【００１２】
【課題を解決するための手段】
請求項１の発明は、巻上機を備えた機械室と、前記巻上機に巻き掛けられ、前記機械室からその下方に導出された屋外エレベータのメインロープと、前記機械室の下方部に配置され、周面に断面ほぼＵ字形の凹部からなる踏面を有し、この踏面が前記メインロープに接触するように押し当てられ、前記メインロープの走行に応じて回転する除水ローラとを具備することを特徴としている。
【００１３】
請求項２の発明は、巻上機を備えた機械室と、前記巻上機に巻き掛けられ、前記機械室からその下方に導出された屋外エレベータのメインロープと、前記機械室の下方部においてメインロープの両側に配置され、それぞれ周面に断面ほぼＵ字形の凹部からなる踏面を有し、その踏面が前記メインロープに接触するように押し当てられ、前記メインロープの走行に応じて回転する一対の除水ローラとを具備することを特徴としている。
【００１４】
請求項３の発明は、前記除水ローラが防水ケースで覆われ、その防水ケースには油水分離手段が設けられていることを特徴としている。
【００１５】
請求項４の発明は、前記除水ローラの少なくとも前記踏面が吸水性を有する材料で構成されていることを特徴としている。
【００１６】
請求項５の発明は、前記除水ローラの踏面に、回転自在な補助ローラが圧接していることを特徴としている。
【００１７】
請求項６の発明は、前記除水ローラが、前記メインロープの揺動に追従する追従機構を介して支持されていることを特徴としている。
【００１８】
請求項７の発明は、複数本のメインロープを備え、除水ローラの周面にはそのメインロープの本数に対応する数の踏面が形成されていることを特徴としている。
【００１９】
請求項８の発明は、前記メインロープの両側に設けられた一対の除水ローラが、前記メインロープの長手方向に対して上下に位置をずらす段違い状に配置されていることを特徴としている。
【００２０】
請求項９の発明は、前記除水ローラが、前記メインロープに対して接離する方向に移動可能な移動機構により支持され、前記メインロープが機械室に向かって上昇するときにのみ、前記移動機構により前記除水ローラが前記メインロープに押し当てられることを特徴としている。
【００２１】
請求項１０の発明は、前記除水ローラが、前記メインロープに対して接離する方向に移動可能な移動機構により支持され、この移動機構には降雨センサによる情報が入力され、前記夜の前記メインロープが機械室に向かって上昇し、かつ前記移動機構に前記降雨センサによる降雨の情報が入力されているときにのみ、前記除水ローラが前記メインロープに押し当てられることを特徴としている。
【００２２】
【発明の実施の形態】
以下、この発明の実施形態について図面を参照して説明する。
図１には第１の実施形態を示してある。図１に示す符号１は、屋外エレベータの乗りかごと釣合い重り（共に図示せず）を吊り下げたメインロープで、このメインロープ１は機械室２内に設置された巻上機（図示せず）のシーブに巻き掛けられている。
【００２３】
機械室２の下方には、防水ケース３が設けられている。この防水ケース３はブラケット等を介して機械室２の下面と隣接するように取り付けられている。
【００２４】
防水ケース３は上面に傾斜状の天板４を、下面に水平な底板５を有する箱形状をなし、底板５に複数の排水口６が設けられている。そして前記メインロープ１は、この防水ケース３の中心部を貫通して機械室２内に導入されている。
【００２５】
防水ケース３の天板４および底板５の中心部にはメインロープ１を通す開口７，８がそれぞれ形成されている。そして底板５の中心部の開口８の周縁にはその上方に立上がる遮水壁９が形成されている。
【００２６】
防水ケース３内には、メインロープ１を挟んで互いに対向する一対の除水ローラ１２が設けられている。これら除水ローラ１２は、耐摩耗性および水濡れ性の高い材料で形成され、それぞれ軸１３を介して回転自在に支持されている。
【００２７】
除水ローラ１２は、図２に示すように、周面に断面ほぼＵ字形の凹部からなる踏面１２ａを有し、この踏面１２ａがメインロープ１の表面に押し当てられている。そしてメインロープ１の走行に応じて各除水ローラ１２がメインロープ１との摩擦力でそれぞれ回転する。
【００２８】
降雨時には、防水ケース３の下方側においてメインロープ１の表面に雨水が付着する。メインロープ１が機械室２に向かって上昇するときには、その付着した雨水は、メインロープ１と共に防水ケース３内に導入されて各除水ローラ１２の踏面１２ａに接触する。
【００２９】
各除水ローラ１２はメインロープ１の走行に応じて回転しており、また各除水ローラ１２は水濡れ性の高い材料で形成されているから、踏面１２ａに接触した雨水は除水ローラ１２の回転遠心力でその外周側に順次飛散され、メインロープ１の表面から除去される。そして雨水が除去された部分のメインロープ１が機械室２内に順次導入される。
【００３０】
除水ローラ１２の回転で飛散した雨水は、防水ケース３の内壁面に当ってその下方に流下し、排水口６を通して外部に順次排出される。
【００３１】
このように、メインロープ１に付着した雨水を機械室２内に浸入する前に、簡便な除水ローラ１２を用いて飛散させて除去することができ、したがって機械室２内への雨水の浸入を抑えることができ、機械室２内の巻上機に防水カバーを設けたり、機械室２内に除湿機を設置するようなことなく、機械室２内を非湿潤環境に保つことができる。
【００３２】
図３には第２の実施形態を示してあり、この実施形態においては、防水ケース３の下部に排水処理室１６が設けられ、この排水処理室１６が防水ケース３の底板５に設けられた流出口５ａを通して防水ケース３内に連通し、また排水処理室１６の底部に排出口１７が設けられている。
【００３３】
排水処理室１６内には、前記流出口５ａの直下に位置してプレフィルタ１８ａが設けられているとともに、前記排出口１７の上部に位置して油水分離手段として油吸着材１８ｂが設けられている。
【００３４】
除水ローラ１２から飛散する雨水中には、メインロープ１から滲出するロープグリース等の油分が混入するが、その雨水が流出口５ａからプレフィルタ１８ａを通過する際に、まず雨水中のゴミ等の固形分がそのプレフィルタ１８ａにより除去され、さらに雨水が油吸着材１８ｂを通過する際に、雨水中の油分がその油吸着材１８ｂにより吸収除去される。そして清浄化された雨水が排出口１７から外部に排出される。
【００３５】
このようにこの実施形態においては、除水ローラ１２から飛散させた雨水中の油分を除去して排出口１７から排出することができ、したがってその雨水を一般下水道等へ直接廃棄することが可能となる。
【００３６】
図４には第３の実施形態を示してあり、この実施形態においては、防水ケース３の上部にブラシ式の除水機構１９が設けられている。この除水機構１９は、ケース１９ａの内側に軟質材製の一対のブラシ型フラップ１９ｂを水平に設けてなり、前記一対のブラシ型フラップ１９ｂをメインロープ１の両側からその表面に押し当てた構成となっている。
【００３７】
この実施形態においては、除水ローラ１２から飛散した雨水のうちのメインロープ１とほぼ平行に進んで開口７から流出する雨水をブラシ型フラップ１９ｂにより下方に押し戻して防水ケース３内に還流させることができ、したがって機械室２内への雨水の浸入をより確実に防止することができる。
【００３８】
図５には第４の実施形態を示してあり、この実施形態においては、除水ローラ１２が低接触角の水濡れ性を有する耐摩耗性材料により多孔質の硬質スポンジ状に形成され、水の吸収・放出が可能な構成となっている。
【００３９】
この実施形態の場合には、メインロープ１の表面に付着した雨水が除水ローラ１２とメインロープ１との間に導入されて踏面１２ａに接触すると、その雨水が多孔質のスポンジ状をなす除水ローラ１２の内部に順次吸収され、メインロープ１の表面から除去される。
【００４０】
メインロープ１の表面に多量の雨水が付着したときには、除水ローラ１２の踏面１２ａの図５（Ｂ）に示すα部に雨水が一時的に溜まるが、その溜まり水が自然落下する前に除水ローラ１２で吸収することでき、このためメインロープ１の表面に多量の雨水が付着する場合であっても、その雨水をメインロープ１から的確に除去することができる。
【００４１】
除水ローラ１２の内部に吸収された雨水は、除水ローラ１２の回転に応じてその遠心力で外周側に飛散され、除水ローラ１２から排除される。
【００４２】
図６には第５の実施形態を示してあり、この実施形態においては、除水ローラ１２が低接触角の水濡れ性を有する耐摩耗性材料により多孔質で適度な弾性を有するスポンジ状に形成され、水の吸収・放出が可能な構成となっている。
【００４３】
そして各除水ローラ１２の踏面１２ａに対して補助ローラ１５が押し当てられている。これら補助ローラ１５は除水ローラ１２の回転に応じて回転するように軸１４を介して回転自在に支持されている。各補助ローラ１５は周面に断面凸状の踏面１５ａを有し、この踏面１５ａが除水ローラ１２の踏面１２ａに弾性的に圧接するように押し当てられている。
【００４４】
この実施形態においては、前記第４の実施形態の場合と同様に、メインロープ１の表面に付着した雨水が除水ローラ１２の踏面１２ａに接触すると、その雨水が多孔質のスポンジ状をなす除水ローラ１２の内部に順次吸収され、メインロープ１の表面から除去される。
【００４５】
除水ローラ１２が雨水の吸収により膨潤すると、その除水ローラ１２が補助ローラ１５により強く圧搾され、この圧搾で防止ローラ１２内の雨水が搾り出され、除水ローラ１２から排除される。
【００４６】
補助ローラ１５はその周面の断面凸状の踏面１５ａで除水ローラ１２の踏面１２ａを弾性的に強く変形させ、このため雨水は防止ローラ１２と補助ローラ１５との間に滞留するようなことなく、凸状の踏面１５ａの両側に流れ出して効率よく除水ローラ１２から排除される。
【００４７】
この実施形態の場合には、除水ローラ１２の回転遠心力により雨水を排除するのではなく、補助ローラ１５による押付け力で除水ローラ１２内の雨水を排除する構成であるから、メインロープ１の走行速度が遅い低速エレベータの場合、つまり除水ローラ１２の回転速度が遅く、その回転遠心力で雨水を充分に飛散させることができない場合であっても有効に使用することができる。
【００４８】
図７には第６の実施形態を示してある。この実施形態においては、メインロープ１を挟んで互いに対向した除水ローラ１２が追従機構により支持されている。すなわち、各除水ローラ１２は、それぞれロッド２０を介して支持されているとともに、弾性体としてのスプリング２１によりメインロープ１の表面に弾性的に押し当てられている。
【００４９】
前記ロッド２０は直動軸受２２を介して軸方向および軸回り方向に移動自在に支持され、また直動軸受２２は支軸２３を介してその支軸２３の軸回り方向に回動自在にブラケット２４に支持され、これにより除水ローラ１２が前後左右方向すなわち図７（Ｂ）に示すＸ軸方向とＹ軸方向とに移動自在となっている。
【００５０】
屋外エレベータのメインロープ１は風の影響による揺動を受け、また機械的振動による波打ち等により比較的大きく前後左右に揺れ動くが、この実施形態の場合には、除水ローラ１２が前後左右に移動自在となっているから、そのメインロープ１の揺れ動きに的確に追従することができる。
【００５１】
図８には、除水ローラ１２の追従機構の変形例を示してあり、図（Ａ）に示す追従機構においては、スライド受け２５およびスライドアーム２６を備え、スライド受け２５に一方の除水ローラ１２がピン２７を介して回転自在に支持され、スライドアーム６に他方の除水ローラ１２がピン２８を介して回転自在に支持されている。
【００５２】
スライドアーム２６はスライド受け２５に対してその長手方向にスライド自在に結合されているとともに、前記一方のピン２７と他方のピン２８との間に引張りスプリング２９が張設され、このスプリング２９による弾性力で各除水ローラ１２がメインロープ１の表面にそれぞれ弾性的に押し当てられている。
【００５３】
前記スライド受け２５は球面軸受３２を介してスイングアーム３３の一方の端部に回動自在に取り付けられている。そしてスイングアーム３３の他方の端部が球面軸受３４を介してブラケット３５に回動自在に取り付けられ、スイングアーム３３が球面軸受３４を中心にして回動することにより両除水ローラ１２が左右に揺動するようになっている。
【００５４】
したがって、メインロープ１が前後方向（スライドアーム２６の長手方向）に揺動するときには、スライドアーム２６により支持された除水ローラ１２がそのスライドアーム２６と共にスプリング２９の弾性力に抗して前後方向に移動してメインロープ１の揺動に追従し、メインロープ１が左右方向に揺動するときには、スイングアーム３３が球面軸受３４を中心にして回動して除水ローラ１２がメインロープ１の揺動に追従する。
【００５５】
なお、前記スライドアーム２６に支持された除水ローラ１２に代えて、図８（Ｂ）に示すように、小型の補助ローラ３６を用いることも可能である。
【００５６】
図９には第７の実施形態を示してある。この実施形態は複数本のメインロープ１が並列している場合の例であり、剛体からなるフレーム４０内に一対の除水ローラ１２が設けられている。これら除水ローラ１２は軸方向に長く、その周面にメインロープ１の本数に対応する複数の断面ほぼＵ字形の凹部からなる踏面１２ａが形成されている。そしてその各踏面１２ａ内にそれぞれメインロープ１が挿通されている。
【００５７】
除水ローラ１２は中心部に設けられた軸１３を介して回転自在に支持されているとともに、その各軸１３の両端部がフレーム４０に形成された長孔４１を通してフレーム４０の外部に突出している。フレーム４０から突出した両軸１３の端部間には引張りスプリング等の弾性体４３が架設され、これら弾性体４３による弾性力で各除水ローラ１２の踏面１２ａがその対応するメインロープ１の表面に弾性的に押し当てられている。
【００５８】
フレーム４０は機械室等に固定され、また各除水ローラ１２も剛性をもつ硬質の耐摩耗性の材料で形成されており、したがって各メインロープ１はフレーム４０に対して揺動がほぼ規制される拘束状態にある。
【００５９】
各除水ローラ１２はメインロープ１の走行に応じて回転し、メインロープ１に付着した雨水がその除水ローラ１２の回転遠心力で外周側に順次飛散され、メインロープ１の表面から除去される。
【００６０】
この実施形態では、複数本のメインロープ１に対して簡単な構成で付着雨水を除去することができる。除水ローラ１２はメインロープ１の揺動に追従する機能をもたず、逆に各メインロープ１を拘束してその揺動や波打ちを抑える機能を奏する。
【００６１】
図１０には第８の実施形態を示してあり、この実施形態においては、図１０（Ａ）に示すように、一対の除水ローラ１２がメインロープ１の長手方向に対して段違い状に位置をずらして配置されている。
【００６２】
各除水ローラ１２はそれぞれ弾性体（図示せず）によりその踏面１２ａがメインロープ１の表面に弾性的に接触するようにそれぞれＦの力で押し付けられ、かつその押し付け方向に移動可能となっている。
【００６３】
各除水ローラ１２の踏面１２ａは長期の使用により次第に摩耗し、この摩耗に応じて踏面１２ａの深さが徐々に深くなり、これに伴い両除水ローラ１２が互いに接近する方向に移動することになる。
【００６４】
ここで、両除水ローラ１２が同一のレベルの位置に配置していたとすれば、その移動により双方の除水ローラ１２の周縁がついには互いに接触し、その回転動作が阻害されたり異常音が発生してしまうことになる。
【００６５】
ところが、この実施形態においては、双方の除水ローラ１２がメインロープ１の長手方向に対して段違いに位置をずらして配置しており、このため踏面１２ａの磨耗で双方の除水ローラ１２が図１０に鎖線で示すように、メインロープ１に接近する方向に移動してもその双方の除水ローラ１２の周縁同士の接触が避けられ、したがって除水ローラ１２の回転動作が阻害されたり異常音が発生するようなことがなく、長期に亘って所定の機能を維持することができる。
【００６６】
なお、この場合、図１０（Ｂ）に示すように、除水ローラ１２の踏面１２ａの深さを当初から十分に深くしておくことも可能であり、この場合には、踏面１２ａに対するメインロープ１の揺動等に起因する離脱防止効果が向上する。
【００６７】
図１１には第９の実施形態を示してあり、この実施形態においては、図１１（Ａ）に示すように、除水ローラ１２が移動機構４５を介してメインロープ１に対する接離方向に移動可能に支持されている。
【００６８】
移動機構４５は、除水ローラ１２を回転自在に支持した支持ユニット４６と、この支持ユニット４６を駆動する駆動ユニット４７とを備えている。駆動ユニット４７は、ベース４８と、このベース４８をスライド自在に支持したガイドレール４９と、前記ベース４８を前記ガイドレール４９に沿ってリンク機構５０を介して移動させるモータ等の駆動源５１とからなり、前記ベース４８に前記支持ユニット４６が取り付けられている。
【００６９】
メインロープ１を走行させる巻上機５５には、メインロープ１の走行方向を検知する検知器５６が設けられている。そして検知器５６の検知信号が制御部５７に送られ、その信号に基づいて制御部５７により前記駆動源５１の駆動が制御されるようになっている。
【００７０】
そしてこの実施形態における除水ローラ１２の踏面１２ａは、図１１（Ｃ）に示すように、その両側面が踏面１２ａの開放側に向かってテーパ状に拡開する断面形状をなしている。
【００７１】
メインロープ１が機械室に向かって上昇する方向に走行するときには、図（Ａ）に示すように、除水ローラ１２がそのメインロープ１の表面に押し当てられている。
【００７２】
そしてこの状態から、図１１（ｂ）に示すように、巻上機５５の回転方向が逆転して前記メインロープ１が下降する方向に走行するときには、その走行方向の逆転が検知器５６により検知され、その検知信号が制御部５７に送られる。そして制御部５７により移動機構４５の駆動源５１に所定の駆動信号が送られる。駆動信号が送られた駆動源５１は、ベース４８を引き寄せ、除水ローラ１２をメインロープ１から離間する方向に移動させる。
【００７３】
また、再び、巻上機５５の回転方向が逆転してメインロープ１が上昇する方向に走行するときには、その走行方向の逆転が検知器５６により検知され、その検知信号が制御部５７に送られ、これに基づいて駆動源５１によりベース４８が押し出され、除水ローラ１２がメインロープ１に接近する方向に移動し、その踏面１２ａがメインロープ１に押し当てられる。
【００７４】
除水ローラ１２の踏面１２ａは、図１１（Ｃ）に示すように、その開放側がテーパ状に拡開する断面形状となっており、したがって除水ローラ１２がメインロープ１に向かって押し動かされたときには、メインロープ１が踏面１２ａ内に円滑に導入される。
【００７５】
このようにこの実施形態においては、メインロープ１が機械室に向かって上昇するときのみ、つまりメインロープ１に付着した雨水が機械室内に浸入する恐れがあるときにのみ、除水ローラ１２がそのメインロープ１に接触し、それ以外のときには除水ローラ１２がメインロープ１から離間して除水ローラ１２とメインロープ１との接触が避けられ、したがって除水ローラ１２とメインロープ１との接触による踏面１２ａの摩耗を少なくして除水ローラ１２の耐久性を高めることができる。
【００７６】
図１２には第１０の実施形態を示してあり、この実施形態は前記第９の実施形態における構成に加え、降雨時の雨水を検出する降雨センサ６０が建物の屋上等に設けられ、この降雨センサ６０による情報の信号が制御部５７に送られるようになっている。
【００７７】
そして降雨時に降雨センサ６０が雨水を検出し、かつメインロープ１が機械室に向かって上昇する方向に走行するときには、その降雨の信号と検知器５６の信号とに基づいて、１２（Ａ）に示すように除水ローラ１２がそのメインロープ１の表面に押し当てられている。
【００７８】
この状態から、図１２（Ｂ）に示すように、巻上機５５の回転方向が逆転して前記メインロープ１が下降する方向に走行するときには、その走行方向の逆転が検知器５６により検知され、その検知信号に基づいて制御部５７の制御により駆動源５１を介して除水ローラ１２がメインロープ１から離間する方向に駆動され、除水ローラ１２とメインロープ１とが非接触状態に保持される。
【００７９】
また、再び、巻上機５５の回転方向が逆転してメインロープ１が上昇する方向に走行するときには、その走行方向の逆転が検知器５６により検知され、その検知信号に基づいて制御部５７の制御により駆動源５１を介して除水ローラ１２がメインロープ１に接近する方向に駆動され、除水ローラ１２とメインロープ１とが接触状態に保持される。
【００８０】
一方、降雨センサ６０が雨水を検出しない非降雨時には、降雨センサ６０から制御部５７へ非降雨の信号が送られ、これに基づいて制御部５７は、検知器５６からの信号の内容に拘わらず、つまりメインロープ１の走行方向に拘わらず、駆動源５１を介して除水ローラ１２をメインロープ１から離間する方向に駆動して除水ローラ１２とメインロープ１とが非接触状態となるように制御し、除水ローラ１２とメインロープ１との非接触状態が保持される。
【００８１】
このようにこの実施形態においては、メインロープ１に雨水が付着する降雨時にのみ、除水ローラ１２がそのメインロープ１に接触し、雨水の付着の恐れのない非降雨時には除水ローラ１２がメインロープ１から離間して除水ローラ１２とメインロープ１との接触が避けられ、したがって除水ローラ１２とメインロープ１との接触による踏面１２ａの摩耗を少なくして除水ローラ１２の耐久性を高めることができる。
【００８２】
なお、降雨センサ６０は、単数設ける場合であっても、複数設ける場合であってもよい。
【００８３】
【発明の効果】
以上説明したようにこの発明によれば、メインロープに付着した雨水が機械室内に浸入する前に、簡便かつ安価な構造の除水ローラを用いてその雨水を除去することができ、したがって機械室内への雨水の浸入を抑え、機械室内が湿潤環境となる不都合を防止することができる。
【図面の簡単な説明】
【図１】この発明の第１の実施形態を示す断面図。
【図２】第１の実施形態の除水ローラの構造を示す断面図。
【図３】この発明の第２の実施形態を示す断面図。
【図４】この発明の第３の実施形態を示す断面図。
【図５】この発明の第４の実施形態を示す断面図。
【図６】この発明の第５の実施形態を示す断面図。
【図７】この発明の第６の実施形態を示す説明図。
【図８】除水ローラをメインロープの揺動に追従させる追従機構の変形例を示す説明図。
【図９】この発明の第７の実施形態を示す斜視図。
【図１０】この発明の第８の実施形態を示す説明図。
【図１１】この発明の第９の実施形態を示す説明図。
【図１２】この発明の第１０の実施形態を示す断面図。
【符号の説明】
１…メインロープ
２…機械室
３…防水ケース
１２…除水ローラ
１２ａ…踏面
１５…補助ローラ
１６…排水処理室
１８ａ…プレフィルタ
１８ｂ…油吸着材
２０…ロッド
２１…スプリング
２２…直動軸受
２５…スライド受け
２６…スライドアーム
２９…スプリング
３２…球面軸受
３３…スイングアーム
３４…球面軸受
４０…フレーム
４５…移動機構
４６…支持ユニット
４７…駆動ユニット
５１…駆動源
５５…巻上機
５６…検知器
５７…制御部
６０…降雨センサ
【図１】
2004161404.tif 000003
【図２】
2004161404.tif 000004
【図３】
2004161404.tif 000005
【図４】
2004161404.tif 000006
【図５】
2004161404.tif 000007
【図６】
2004161404.tif 000008
【図７】
2004161404.tif 000009
【図８】
2004161404.tif 000010
【図９】
2004161404.tif 000011
【図１０】
2004161404.tif 000012
【図１１】
2004161404.tif 000013
【図１２】
2004161404.tif 000014